(57)【要約】【課題】  締結箇所から離隔した位置からボルト又はナットの仮締付けを容易に行うことができるボルト又はナットの締緩用工具を提供する。【解決手段】  締緩すべきボルト又はナットに嵌合する嵌合部２３を備えた回転部２１と、回転部２１の回転軸の向きが変更自在となるように、回転部２１を支持するアーム部３１と、回転部２１に巻き付けられ、牽引により回転部２１を駆動する牽引部材６１と、を備える。回転部２１の回転軸の向きを変更してボルト又はナットと締結箇所の軸芯を合わせることができ、牽引部材６１を牽引することにより、回転部２１を連続して回転させ、ボルト又はナットと締結箇所の雄ネジと雌ネジを噛み合わせて仮締付けを行うことができる。【選択図】図１
2009113191.tif 000002
【特許請求の範囲】
【請求項１】
締緩すべきボルト又はナットに嵌合する嵌合部を備えた回転部と、
前記回転部の回転軸の向きが変更自在となるように、前記回転部を支持するアーム部と、
前記回転部に巻き付けられ、牽引により前記回転部を駆動する牽引部材と、
を備えたことを特徴とする、ボルト又はナットの締緩用工具。
【請求項２】
前記アーム部の全部又は一部は、屈曲性と弾力性とを有する部材で形成されていることを特徴とする、請求項１に記載のボルト又はナットの締緩用工具。
【請求項３】
前記アーム部の全部又は一部は、屈曲性と弾力性とを有する管状部材で形成されており、前記牽引部材は、前記管状部材内に挿通されていることを特徴とする、請求項１に記載のボルト又はナットの締緩用工具。
【請求項４】
前記アーム部は、前記牽引部材を前記回転部の周面付近に案内する案内部を備えていることを特徴とする、請求項１から３のいずれか１項に記載のボルト又はナットの締緩用工具。
【請求項５】
前記嵌合部は、ボルト又はナットの嵌合状態を維持する磁石を備えたことを特徴とする、請求項１から４のいずれか１項に記載のボルト又はナットの締緩用工具。
【発明の詳細な説明】
【技術分野】
【０００１】
本発明は、ボルト又はナットの締緩用工具に関し、特に、ボルト又はナットの仮締付けを、締結箇所から離隔した位置から行うボルト又はナットの締緩用工具に関する。
【背景技術】
【０００２】
従来、例えば車両部品の交換等で、ボルト又はナットを締結する際には、まずボルト又はナットを締結箇所に仮締付けし、その後に本締付けを行っている。仮締付けしたボルト又はナットを本締付けする際には、スパナやＬ型レンチ等を用いているが、締結箇所の周囲の空間が狭い場所では、スパナやＬ型レンチでは３６０度連続して回転させることが困難である。このため、本締め付けは、ボルト又はナットに何度もスパナやＬ型レンチを掛け直して行うか、エキステンションバーや、ユニバーサルジョイントを締結箇所まで差し込んで行っている。
【０００３】
また、このような狭い場所でボルトを連続して回転させ、締付けを行う工具として、円柱状の本体の先端部に長い嵌合部を固定し、本体の外周部に牽引ワイヤを巻装した工具が開発されている（例えば、特許文献１参照。）。この工具は、嵌合部をボルトに嵌合し、巻装された牽引ワイヤを引くことにより、本体と嵌合部が回転し、締結箇所から離隔した位置からボルトを締結させるものである。
【０００４】
ところで、ボルト又はナットの仮締付けは、ボルト又はナットと締結箇所の雄ネジと雌ネジの切り口が合った状態で、少なくとも１回転は連続して回さないとボルト又はナットと締結箇所の雄ネジと雌ネジが噛み合った状態とはならない。締結箇所の周囲の空間が空いている場所であれば、手指を使って、手指の感覚でボルト又はナットを軽く押し付けながら、雄ネジと雌ネジが上手く噛み合うように回転させることで、簡単に仮締付けを行うことができる。
【特許文献１】実開平３−９６１８３号公報
【発明の開示】
【発明が解決しようとする課題】
【０００５】
しかしながら、締結箇所の周囲の空間が狭く、手指がようやく入るような場所や、手指が届きにくい場所では、ボルト又はナットと締結箇所の雄ネジと雌ネジの軸芯を合わせることは困難である。また、ボルト又はナットを連続して１回転回すことも困難である。このため、締結箇所の周囲の空間が狭い場所での仮締付けは困難であった。
【０００６】
また、上記ユニバーサルジョイントを仮締付けに用いようとすると、ユニバーサルジョイントの回転でボルト又はナットがぐらつくため、ボルト又はナットと締結箇所の軸芯を合わせた状態で、雄ネジと雌ネジが噛み合うように回転させることは難しい。このため、ユニバーサルジョイントを用いてボルト又はナットの仮締付けを行うことは困難であった。
【０００７】
また、特許文献１に記載の工具は、回転軸中心方向に寸法の長い工具である。このため、締結箇所の雄ネジ又は雌ネジの軸芯上に障害物がある場所で使用すると、工具と締結箇所の周囲にある障害物とが干渉してしまう。また、ボルト又はナットの軸芯とずれた方向から仮締付けを行うこととすると、工具の回転でボルト又はナットがぐらつくため、ボルト又はナットと締結箇所の軸芯を合わせて、雄ネジと雌ネジが噛み合うように回転させることは難しい。このため、特許文献１に記載の工具を用いてボルト又はナットの仮締付けを行うことは困難であった。
【０００８】
そこで、本発明は前記問題点に鑑みてなされたものであり、締結箇所から離隔した位置からボルト又はナットの仮締付けを容易に行うことができるボルト又はナットの締緩用工具を提供することを課題とする。
【課題を解決するための手段】
【０００９】
本発明の解決しようとする課題は以上の如くであり、次にこの課題を解決するための手段を説明する。
【００１０】
即ち、第１の発明においては、締緩すべきボルト又はナットに嵌合する嵌合部を備えた回転部と、
前記回転部の回転軸の向きが変更自在となるように、前記回転部を支持するアーム部と、
前記回転部に巻き付けられ、牽引により前記回転部を駆動する牽引部材と、
を備えたことを特徴とする、ボルト又はナットの締緩用工具とした。
【００１１】
第２の発明においては、第１の発明において、前記アーム部の全部又は一部は、屈曲性と弾力性とを有する部材で形成されていることを特徴とする、ボルト又はナットの締緩用工具とした。
【００１２】
第３の発明においては、第１の発明において、前記アーム部の全部又は一部は、屈曲性と弾力性とを有する管状部材で形成されており、前記牽引部材は、前記管状部材内に挿通されていることを特徴とする、ボルト又はナットの締緩用工具とした。
【００１３】
第４の発明においては、第１から第３のいずれかの発明において、前記アーム部は、前記牽引部材を前記回転部の周面付近に案内する案内部を備えていることを特徴とする、ボルト又はナットの締緩用工具とした。
【００１４】
第５の発明においては、第１から第４のいずれかの発明において、前記嵌合部は、ボルト又はナットの嵌合状態を維持する磁石を備えたことを特徴とする、ボルト又はナットの締緩用工具とした。
【発明の効果】
【００１５】
本発明の効果として、以下に示すような効果を奏する。
【００１６】
第１の発明によれば、アーム部は、回転部の回転軸の向きが変更自在となるように回転部を支持している。このため、ボルト又はナットの軸芯とずれた方向から仮締付けを行う場合であっても、回転部の回転軸の向きを変更してボルト又はナットと締結箇所の軸芯を合わせることができる。そして、牽引部材を牽引することにより、ボルト又はナットと締結箇所の軸芯を合わせた状態で、回転部を連続して回転させ、ボルト又はナットと締結箇所の雄ネジと雌ネジが噛み合うように回転させることができる。従って、締結箇所の周囲の空間が狭い場所であっても、締結箇所から離隔した位置からボルト又はナットの仮締付けを容易に行うことができる。
【００１７】
第２の発明によれば、アーム部の全部又は一部は、屈曲性と弾力性とを有する部材で形成されている。このため、アーム部を屈曲させることにより、ボルト又はナットの軸芯とずれた方向から仮締付けを行う場合であっても、回転部の回転軸の向きを変更してボルト又はナットと締結箇所の軸芯を合わせることができる。また、アーム部の全部又は一部は弾力性を有するため、ボルト又はナットが噛み合うための押し付け力を適度に付与することができるとともに、この押し付け力が過大にならないため、雄ネジと雌ネジを破損することなく、ボルト又はナットの仮締付けを確実に行うことができる。
【００１８】
第３の発明によれば、アーム部の全部又は一部は、屈曲性と弾力性とを有する管状部材で形成され、牽引部材は管状部材内に挿通されている。このため、牽引部材を牽引する力がアーム部に沿って加わることとなり、牽引によるアーム部の屈曲が生じにくくなる。従って、回転部の回転軸の向きを締結箇所の軸芯に合わせた状態のまま、回転部を回転させることができ、ボルト又はナットの仮締付けを容易に行うことができる。
【００１９】
第４の発明によれば、牽引部材を回転部の周面付近に案内する案内部を備えており、案内部と回転部の周面との隙間が少ないため、牽引部材を牽引した際に、回転部の回転軸を傾斜させるように作用するモーメントが小さくなり、回転部の回転軸の向きが狂いにくくなる。従って、回転部の回転軸の向きを締結箇所の軸芯に合わせた状態のまま、回転部を回転させることができ、ボルト又はナットの仮締付けを確実に行うことができる。また、牽引部材を牽引する力が回転部の向きを変える力として逃げないため、小型の回転部でも小さい力で仮締付けを行うことができる。
【００２０】
第５の発明によれば、嵌合部は、ボルト又はナットの嵌合状態を維持する磁石を備えている。このため、ボルト又はナットが不用意に嵌合部から脱落し難い。従って、締結箇所の周囲の空間が狭い場所であっても、締結箇所から離隔した位置からボルト又はナットの仮締付けを容易に行うことができる。
【発明を実施するための最良の形態】
【００２１】
次に、発明の実施の形態について図を用いて説明する。
【実施例１】
【００２２】
本発明の実施例１に係るボルト又はナットの締緩用工具１１（以下、単に「締緩用工具１１」とする）について、図１から図５を用いて説明する。本実施例に係る締緩用工具１１は、回転部２１と、アーム部３１と、牽引部材６１とを備えている。
【００２３】
図１から図３に示すように、回転部２１は、直径約３０ｍｍのプーリー２２を備えており、プーリー２２の回転軸線上の一方の側（図２における上側）には、支軸受部（図示せず）が設けられ、他方の側（図２における下側）には、嵌合部２３が設けられている。支軸受部は、後記説明するアーム部３１のブラケット４１に設けた支軸４６が差し込まれる部分であり、支軸４６が支軸受部に差し込まれることにより、プーリー２２はアーム部３１に対して回転自在に支持される。尚、プーリー２２は、直径約３０ｍｍとしたが、寸法はこれに限定されない。プーリー２２が大きいと狭い場所に差し込みにくくなるため、ボルト又はナットに締緩に必要な回転トルクを付与できる程度に小径で、且つ、薄型のものが好ましい。
【００２４】
図１に示すように、回転部２１に設けられた嵌合部２３は、締緩すべきボルト又はナットに嵌合する部分であり、差込角２４とソケット２５を備えている。差込角２４とソケット２５は、従来公知のソケットレンチの構造と同様である。差込角２４は、略直方体に形成されており、ソケット２５を着脱自在に保持するものである。差込角２４は、プーリー２２の回転軸線上に固定されており、プーリー２２と共に回転する。
【００２５】
ソケット２５は、締緩すべきボルト又はナットの頭部に嵌合するものであり、一方の側（図２における上側）に差込角２４に嵌合する部分が形成されており、他方の側（図２における下側）にはボルト又はナットに嵌合する部分が形成されている。ソケット２５は、ボルト又はナットの寸法に応じて、適切な寸法のものを選択する。差込角２４へのソケット２５の装着は、差込角２４にソケット２５を嵌合させることにより行い、差込角２４に設けられたロック機構２６により、ソケット２５は差込角２４に対して不用意に抜脱しないように装着される。ソケット２５の交換の際には、ロック機構２６を解除して、ソケット２５を差込角２４から抜脱して交換を行う。また、ソケット２５には磁石２７が備えられており、嵌合されたボルト又はナットの嵌合状態を維持するようにして、不用意に抜脱しないようにしている。
【００２６】
アーム部３１は、図１、図４に示すように、回転部２１の回転軸の向きが変更自在となるように、回転部２１を支持する部分である。アーム部３１は、アーム部主体３２、ブラケット４１、グリップ５１を備えている。本実施例ではアーム部主体３２の長さは約３００ｍｍとしており、アーム部主体３２の一端にグリップ５１、他端にブラケット４１が装着されている。尚、アーム部主体３２の長さはこれに限定されない。
【００２７】
アーム部主体３２は、屈曲性と弾力性を有する管状部材で全体が形成されており、本実施例では、アーム部主体３２の全体が、金属製のフレキシブルチューブで形成されている。フレキシブルチューブは、蛇腹状の管状部材であり、手指で任意の３次元の方向に屈曲させて角度を調整し、その任意の角度に屈曲させた状態を維持できる屈曲性を有している。また、フレキシブルチューブは、任意の向きに曲げた状態において、先端部を押圧すると撓んで弾性変形する弾力性を有している。
尚、アーム部主体３２を構成する部材は、フレキシブルチューブに限定されず、同様の屈曲性と弾力性とを有する部材であれば、管状の樹脂部材など他の部材を用いることができる。
アーム部主体３２の一端に装着されるグリップ５１の端部には、引出孔５２が形成されており、アーム部主体３２の内部の中空部と連通するようにしている。
【００２８】
図１に示すように、アーム部主体３２の一端にはブラケット４１が装着される。ブラケット４１は、回転部２１のプーリー２２を回転自在に支持する部材である。図２に示すように、ブラケット４１は、金属板を略Ｌ字状に屈曲させた形状で、取付部４２と支持部４３とを備えている。取付部４２には、後記説明する牽引部材６１が挿通する案内用孔４４が形成されている。案内用孔４４は、牽引部材６１をプーリー２２の周面付近に案内する案内部である。取付部４２の支持部４３と反対側の面には、ブラケット４１をアーム部主体３２に装着するための連結部４５が設けられている。連結部４５は管状部材で形成されており、アーム部主体３２の内側に嵌合する外径を有し、中空部が案内用孔４４に連通するように設けられている。連結部４５をアーム部主体３２の開口部に差し込むようにしてブラケット４１がアーム部主体３２に装着される。
【００２９】
図２、図３に示すように、ブラケット４１の支持部４３は、プーリー２２を支持する部分である。支持部４３には支軸４６が立設されており、支軸４６がプーリー２２の支軸受部（図示せず）に差し込まれることにより、プーリー２２がブラケット４１に対して片持ちで回転自在に支持される。支持部４３はプーリー２２の半径よりやや長い程度に形成されている。このため、支軸４６にプーリー２２を装着すると、取付部４２に形成された案内用孔４４がプーリー２２の周面付近に位置することとなり、案内用孔４４は、案内用孔４４に挿通する牽引部材６１をプーリー２２の周面付近に案内することとなる。
【００３０】
牽引部材６１は、プーリー２２に巻き付けられ、牽引してプーリー２２から解くことによりプーリー２２を駆動する部材である。牽引部材６１は、柔軟なワイヤであり、一端がプーリー２２の周面上に固定されている。牽引部材６１は、ブラケット４１の案内用孔４４とアーム部主体３２の内部を挿通して、グリップ５１の端部に形成された引出孔５２から外部に出ている。牽引部材６１の他端には、引手部材６２が装着されている。尚、牽引部材６１は、プーリー２２に巻き付けられて、牽引することで解かれてプーリー２２を回転させるものであればよく、ワイヤの他、紐、ベルトなどを用いてもよい。
【００３１】
牽引部材６１はプーリー２２に対して右巻き、左巻きのいずれの方向にも巻き付けることができ、ボルト又はナットの仮締付けの場合は、牽引部材６１の牽引によってプーリー２２が時計回りに回転するように牽引部材６１を巻き付けるようにする。ボルト又はナットの弛緩の場合は、その逆の方向に巻き付けるようにする。本実施例では、プーリー２２はブラケット４１に対して片持ちに支持されているため、プーリー２２に牽引部材６１を手指で容易に巻き付けることができる。尚、プーリー２２を手指で回転させて牽引部材６１を巻き取るようにしてもよい。
【００３２】
次に、実施例１に係る締緩用工具１１を用いて、締結箇所の周囲が狭い場所で、ボルト７１の仮締付けを行う場合について説明する。図４に示すように、締結箇所は、ワーク７２を別の部材７３に取り付ける箇所であり、締結箇所には部材７３の裏側に雌ネジを形成したブッシュ７４が設けられている。締結箇所の図示上方には他の部材７５が突設されており、図示下方にはホース７６が配設されている。このため、締結箇所の周囲は図示上下方向に狭く、締結作業は、締結箇所から離隔した図示左方の位置から行わなくてはならない。また、締結箇所は部材７３の略垂直面に位置しており、作業者に略対向するように位置している。本実施例の締緩用工具１１は、アーム部３１の長さを約３００ｍｍとしているため、手元から約２００ｍｍ程度先の狭い締結箇所であっても仮締付けを行うことができる。
【００３３】
このような場所において仮締付けを行う場合、まず準備として、プーリー２２への牽引部材６１の巻き付けを行う。巻き付ける方向は、牽引部材６１を牽引して解くとプーリー２２が時計回りに回転してボルト７１をねじ込む方向とする。続いて、アーム部３１を手指で屈曲させて回転部２１の角度を調整する。回転部２１の角度は、図示左方から締緩用工具１１を差し込んだ場合に、プーリー２２の回転軸の方向がブッシュ７４の雌ネジの軸芯と略合致する角度とする。この状態で、ソケット２５に仮締付けすべきボルト７１の頭部を嵌合させ、図４に示すように、一方の手でグリップ５１を把持し、他方の手で引手部材６２を把持した状態で、ソケット２５に嵌合させたボルト７１を締結箇所のブッシュ７４に向けて接近させる。この場合、ソケット２５に磁石２７が備えられているため、締結箇所から離隔した位置から仮締付けを行う場合でもボルト７１が不用意に抜脱せず、作業を容易に行うことができる。
【００３４】
次に、ソケット２５に嵌合させたボルト７１を、ブッシュ７４の雌ネジに軽く押し当て、引手部材６２を引っ張って牽引部材６１を牽引すると、プーリー２２が回転して、ソケット２５及びボルト７１が回転する。ボルト７１の雄ネジと、ブッシュ７４の雌ネジとが直ちに噛み合わない場合は、雄ネジと雌ネジとが噛み合い始めるボルト７１の角度を探るため、締緩用工具１１の向きを微調整しながら、ボルト７１を回転させる。また、雄ネジと雌ネジが噛み合い易いように、ボルト７１をブッシュ７４に対して適度に押し付ける。アーム部３１は、適度な弾力性を持つため、締緩用工具１１に加える押圧力を加減することにより、アーム部３１の全体の撓み量が変化し、これによって、雄ネジと雌ネジが噛み合い易い、適度な押圧力をボルト７１に付与することができる。
【００３５】
尚、過度の押圧力を締緩用工具１１に加えた場合には、アーム部３１が大きく弾性変形することにより、ボルト７１とブッシュ７４に加わる過度の押圧力を逃がし、雄ネジと雌ネジが損傷することを防止することができる。このため、熟練者でなくとも容易に仮締付けを行うことができる。また、プーリー２２は直径約３０ｍｍの小型のものを用いているため、牽引部材６１の牽引によってボルト７１に加えられるトルクは過大にならない。このため、雄ネジと雌ネジが異相状態で噛み合った場合に、無理に回転させて雄ネジと雌ネジを損傷させることがなく、熟練者でなくとも容易に仮締付けを行うことができる。
【００３６】
ボルト７１の雄ネジとブッシュ７４の雌ネジとが噛み合えば、更に引手部材６２を引っ張ってボルト７１を回転させて、ブッシュ７４にボルト７１を螺入する。仮締付けの終了後は、図５に示すように、エキステンションバー７７、ユニバーサルジョイント７８、締付けレンチ７９等を用いてボルト７１の本締付けを行う。
【００３７】
上記説明した本実施例に係る締緩用工具１１によれば、以下の効果を有する。
【００３８】
アーム部３１は、プーリー２２の回転軸の向きが変更自在となるようにプーリー２２を支持している。このため、ボルト又はナットの軸芯とずれた方向から仮締付けを行う場合であっても、プーリー２２の回転軸の向き変更してボルト又はナットと締結箇所の軸芯を合わせることができる。そして、牽引部材６１を牽引することにより、ボルト又はナットと締結箇所の軸芯を合わせた状態で、回転部２１を連続して回転させ、ボルト又はナットと締結箇所の雄ネジと雌ネジが噛み合うように回転させることができる。従って、締結箇所の周囲の空間が狭い場所であっても、締結箇所から離隔した位置からボルト又はナットの仮締付けを容易に行うことができる。
【００３９】
アーム部主体３２が屈曲性と弾力性とを有するフレキシブルチューブで形成されている。このため、アーム部３１を屈曲させることにより、ボルト又はナットの軸芯とずれた方向から仮締付けを行う場合であっても、プーリー２２の回転軸の向きを変更してボルト又はナットと締結箇所の軸芯を合わせることができる。また、アーム部主体３２が弾力性を有するため、ボルト又はナットが噛み合うための押し付け力を適度に付与することができるとともに、この押し付け力が過大にならないため、雄ネジと雌ネジを破損することなく、ボルト又はナットの仮締付けを確実に行うことができる。
【００４０】
アーム部主体３２は、屈曲性と弾力性とを有するフレキシブルチューブで形成され、牽引部材６１は管状部材内に挿通されている。このため、牽引部材６１を牽引する力がアーム部３１に沿って加わることとなり、牽引によるアーム部３１の屈曲が生じにくくなる。従って、プーリー２２の回転軸の向きを締結箇所の軸芯に合わせた状態のまま、プーリー２２を回転させることができ、ボルト又はナットの仮締付けを容易に行うことができる。
【００４１】
牽引部材６１をプーリー２２の周面付近に案内する案内部を備えており、案内部とプーリー２２の周面との隙間が少ないため、牽引部材６１を牽引した際に、プーリー２２の回転軸を傾斜させるように作用するモーメントが小さくなり、プーリー２２の回転軸の向きが狂いにくくなる。従って、プーリー２２の回転軸の向きを締結箇所の軸芯に合わせた状態のまま、プーリー２２を回転させることができ、ボルト又はナットの仮締付けを確実に行うことができる。また、牽引部材６１を牽引する力がプーリー２２の向きを変える力として逃げないため、小型のプーリー２２でも小さい力で仮締付けを行うことができる。
【実施例２】
【００４２】
次に、本発明の実施例２に係るボルト又はナットの締緩用工具１１について、図６を用いて説明する。実施例２では、回転部２１に設けられる嵌合部１２３が実施例１の嵌合部２３と異なっている。実施例１と同一部分の詳しい説明は省略する。
【００４３】
図６に示すように、回転部２１に設けられた嵌合部１２３は、着脱自在のソケット２５ではなく、プーリー２２に直接形成されている。この場合、回転部２１を薄くすることができ、狭い場所に差し込みやすくなって、狭い場所での仮締付けを容易に行うことができる。尚、嵌合部１２３は、ボルト又はナットに嵌合する多角形の孔に限定されず、例えば、六角孔付きボルトに嵌合する、六角レンチ状の形状であってもよい。
【実施例３】
【００４４】
次に、本発明の実施例３に係るボルト又はナットの締緩用工具１１について、図７を用いて説明する。実施例３では、アーム部主体１３２が実施例１のアーム部主体３２と異なっている。実施例１と同一部分の詳しい説明は省略する。
【００４５】
図７に示すように、アーム部主体１３２の一方である、回転部２１が装着されている側は、屈曲性と弾力性を有する管状部材１３３であり、本実施例ではフレキシブルチューブで形成されている。また、アーム部主体１３２の他方である、グリップ５１が装着されている側は、剛性を有する管状部材１３４である。この場合、屈曲性を有する管状部材１３３でプーリー２２の回転軸の向きを変更することができ、剛性を有する管状部材１３４で回転部２１とフレキシブルチューブを支持している。剛性を有する管状部材１３４は、回転部２１を狭い場所に差し込む場合に操作し易いため、操作が容易で、仮締付け等を確実に行うことができる。
【００４６】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【図面の簡単な説明】
【００４７】
【図１】本発明の実施例１に係るボルト又はナットの締緩用工具１１の斜視図。
【図２】本発明の実施例１に係るボルト又はナットの締緩用工具１１の平面図。
【図３】本発明の実施例１に係るボルト又はナットの締緩用工具１１の正面図。
【図４】本発明の実施例１に係るボルト又はナットの締緩用工具１１の使用状態を示す正面図。
【図５】仮締付けしたボルトを本締付けする状態を示す正面図。
【図６】本発明の実施例２に係るボルト又はナットの締緩用工具１１の斜視図。
【図７】本発明の実施例３に係るボルト又はナットの締緩用工具１１の斜視図。
【符号の説明】
【００４８】
１１    ボルト又はナットの締緩用工具
２１    回転部
２２    プーリー
２３    嵌合部
２４    差込角
２５    ソケット
２６    ロック機構
２７    磁石
３１    アーム部
３２    アーム部主体
４１    ブラケット
４２    取付部
４３    支持部
４４    案内用孔
４５    連結部
４６    支軸
５１    グリップ
５２    引出孔
６１    牽引部材
６２    引手部材
７１    ボルト
７２    ワーク
７３    部材
７４    ブッシュ
７５    部材
７６    ホース
７７    エキステンションバー
７８    ユニバーサルジョイント
７９    締付けレンチ
１２３  嵌合部
１３２  アーム部主体
１３３  管状部材
１３４  管状部材
【図１】
2009113191.tif 000003
【図２】
2009113191.tif 000004
【図３】
2009113191.tif 000005
【図４】
2009113191.tif 000006
【図５】
2009113191.tif 000007
【図６】
2009113191.tif 000008
【図７】
2009113191.tif 000009